(57)【特許請求の範囲】
【請求項１】
上面に開口を有し、当該開口に連続して内部に収容空間が形成された容器本体と、
当該容器本体の上記上面の外縁部に連続して形成されたフランジとを有し、
当該フランジの一部が対をなして起立することにより一対の把手が形成されるように、当該フランジと上記容器本体との境界に沿って一対のスリットが設けられている釣餌容器。
【請求項２】
上記容器本体及びフランジは、肉厚が０．３ｍｍ以上１．２ｍｍ以下のポリエチレンシートにより一体的に成形されており、
上記一対のスリットは、上記境界に沿って上記容器本体を周回するように設けられた切込みが２箇所で不連続となることにより形成されており、当該不連続部位は、上記開口を挟んで対向している請求項１に記載の釣餌容器。
【請求項３】
上記容器本体の上面に上記開口を囲繞する堤を形成するように環状凸条が設けられている請求項１又は２に記載の釣餌容器。
【請求項４】
上記フランジのうち一方の把手を形成する部位に嵌合凸部が設けられ且つ他方の把手を形成する部位に上記嵌合凸部が嵌合する嵌合凹部が形成されており、当該嵌合凸部及び嵌合凹部のはめあいは、上記フランジの一部が一体となって上記一対の把手を形成するために十分な保持力を発揮するように設定されている請求項１から３のいずれかに記載の釣餌容器。
【請求項５】
上記嵌合凹部の内壁面形状は上記嵌合凸部の外周面形状に対応しており、
上記嵌合凹部の内壁面に当該嵌合凹部の内側に膨出した挟持部が形成されている請求項４に記載の釣餌容器。
【請求項６】
上記フランジのうち上記一方及び他方の把手を形成する部位に当該部位の長手方向に沿って延びる突条が設けられている請求項１から５のいずれかに記載の釣餌容器。
【請求項７】
上記突条は下方に突出しており、上記フランジが上記スリットの近傍から膨出されることにより形成されている請求項６に記載の釣餌容器。
【請求項８】
上記突条の周りを取り囲むように上記フランジにローレット加工が施されている請求項６又は７に記載の釣餌容器。
【請求項９】
上記切込みが不連続となる部位の近傍から当該切込みが延びる方向に沿って当該フランジに第２の突条が設けられている請求項２から８のいずれかに記載の釣餌容器。
【請求項１０】
上記切込が不連続となる部位に上記環状凸条と上記上面との間に掛け渡すように第３の突条が設けられている請求項２から９のいずれかに記載の釣餌容器。
【請求項１１】
上記容器本体の壁面は、上記収容空間に対して凹凸を形成する波形である請求項１から１０のいずれかに記載の釣餌容器。
【請求項１２】
上記容器本体の底面の中央部は、上記収容空間側へ突出している請求項１から１１のいずれかに記載の釣餌容器。
【発明の詳細な説明】
【技術分野】
【０００１】
この発明は、釣餌を収容する容器に関し、詳しくは、アミエビその他の釣餌が商品として梱包される際に採用される容器の構造に関するものである。
【背景技術】
【０００２】
たとえばオキアミやアミエビは、もっともポピュラーな釣餌として知られている。特にアミエビは、小魚をターゲットとした刺し餌として、また、大型魚をターゲットとした撒き餌として広く使用されている。アミエビは、一般に塩漬けされて市場に出回る。このような加工を施されたアミエビは、塩アミと称される。これに対して、塩漬加工が施されていないアミエビは、生アミと称される。
【０００３】
ところで、塩アミは、冷凍不要で長期間の保存が可能であるうえ、釣人は釣場で開封した後に直ちに使用できるという利点がある一方で、独特の臭いを発するために、この臭いを悪臭と感じる釣人も少なくない。また、釣人の経験上、塩アミよりも生アミの方がターゲットとなる魚の食いつきが良い。そのため、生アミの方が商品としての価値は高く、釣人の需要も大きい。ところが、商品としての生アミを製造するためには、水揚げされたアミエビを所要の容器に密封して急速冷凍しなければならず、したがって、そのような加工に耐え得る容器が必要である（たとえば非特許文献１参照）。
【先行技術文献】
【特許文献】
【０００４】
【特許文献１】特開２０００−２９５９５４号公報
【非特許文献】
【０００５】
【非特許文献１】２０１１マルキュー製品総合カタログｐ３１〜ｐ３３
【発明の概要】
【発明が解決しようとする課題】
【０００６】
従来から、冷凍加工に耐え得る釣餌容器が提供されている（非特許文献１参照）。従来の釣餌容器は、上面が開口されたトレイ状の容器本体と、容器本体の開口を閉塞するように上記上面に貼り付けられたトップシートとを有する。このような構造が採用されるのは、釣餌容器の製造コストを抑えるためにほかならない。
【０００７】
しかしながら、従来の釣餌容器の形状は、釣人にとって容器を手にとって持ち歩くには不便であり、内容物が溢れて釣場に散乱するおそれもあった。この問題の対策として、たとえば容器本体に把手を取り付けることが考えられる。しかし、単に把手を装着すれば、釣餌容器の外形形状が歪になり、店舗での商品陳列の際に支障をきたすうえ、製造コストが大幅に上昇する。
【０００８】
本発明はかかる背景のもとになされたものであって、その目的は、水揚げされたアミエビを密封して冷凍加工を施すことが可能であり且つ安価で釣人が釣場で持ち運び易い釣餌容器を提供することである。
【課題を解決するための手段】
【０００９】
(1) 本発明に係る釣餌容器は、上面に開口を有し、当該開口に連続して内部に収容空間が形成された容器本体と、当該容器本体の上記上面の外縁部に連続して形成されたフランジとを有する。当該フランジと上記容器本体との境界に沿って一対のスリットが設けられている。このスリットは、当該フランジの一部が対をなして起立することにより一対の把手が形成されるように設けられている。
【００１０】
この発明によれば、容器本体に釣餌（典型的には水揚げされたアミエビ）が収容され、この容器本体の開口が封止されることにより、釣餌が密封される。容器本体が低温（たとえばマイナス１０℃程度）に耐え得る既知の材料から構成されることにより、釣餌が冷凍加工され得る。しかも、上記スリットに沿って上記フランジの一部が切り起こされることにより、一対の把手が起立し対向する。釣人は、この把手を把持することによって容器本体を持ち運ぶことが可能である。
【００１１】
(2) 上記容器本体及びフランジは、肉厚が０．３ｍｍ以上１．２ｍｍ以下のポリエチレンシートにより一体的に成形されるのが好ましい。また、上記一対のスリットは、上記境界に沿って上記容器本体を周回するように設けられた切込みが２箇所で不連続となることにより形成されるのが好ましい。加えて、当該不連続部位は、上記開口を挟んで対向しているのが好ましい。
【００１２】
この構成では、釣餌容器が軽量で且つ低温に耐えるものとして安価に構成され得る。また、上記フランジの一部が切り起こされるためのスリットの加工も容易である。
【００１３】
(3) 上記容器本体の上面に上記開口を囲繞する堤を形成するように環状凸条が設けられているのが好ましい。
【００１４】
当該釣餌容器では、典型的には上記開口に樹脂フィルムが溶着されることによって容器本体が密封される。この構成では、上記樹脂フィルムが上記環状凸条に溶着される。したがって、溶着作業が容易であるという利点がある。
【００１５】
(4) 上記フランジのうち一方の把手を形成する部位に嵌合凸部が設けられ且つ他方の把手を形成する部位に上記嵌合凸部が嵌合する嵌合凹部が形成されていてもよい。そして、当該嵌合凸部及び嵌合凹部のはめあいは、上記フランジの一部が一体となって上記一対の把手を形成するために十分な保持力を発揮するように設定されているのが好ましい。
【００１６】
この構成では、フランジの一部が切り起こされた際に上記嵌合凸部及び嵌合凹部が嵌合し、互いに対向した状態が保持される。これにより、剛性が高く使用し易い一対の把手が形成される。
【００１７】
(5) 上記嵌合凹部の内壁面形状は上記嵌合凸部の外周面形状に対応しているのが好ましい。さらに、上記嵌合凹部の内壁面に当該嵌合凹部の内側に膨出した挟持部が形成されているのが好ましい。
【００１８】
この構成では、切り起こされたフランジの一部が互いに対向した状態で、上記嵌合凸部が上記嵌合凹部内に押し込まれる。このとき、嵌合凹部内に設けられた挟持部が嵌合凸部の外周面に押圧され、これにより、一方の把手と他方の把手との嵌合が確実に固定される。
【００１９】
(6) 上記フランジのうち上記一方及び他方の把手を形成する部位に当該部位の長手方向に沿って延びる突条が設けられていてもよい。
【００２０】
この突条が形成されることによって一対の把手の曲げ剛性が向上する。これにより、把手がさらに使いやすくなる。
【００２１】
(7) 上記突条は下方に突出しており、上記フランジが上記スリットの近傍から膨出されることにより形成されるのが好ましい。
【００２２】
この構成では、上記突条がフランジと一体的に形成される。つまり、上記突条が簡単且つ安価に形成されるという利点がある。
【００２３】
(8) 上記突条の周りを取り囲むように上記フランジにローレット加工が施されているのが好ましい。
【００２４】
このローレットは、釣人が把手を把持した際の滑り止めとして機能する。よって、釣人の手が濡れている場合であっても把手が使いやすい。
【００２５】
(9) 上記切込みが不連続となる部位の近傍から当該切込みが延びる方向に沿って当該フランジに第２の突条が設けられていてもよい。
【００２６】
この第２の突条によって一対の把手の根本部分の剛性が向上する。これにより、把手がさらに使いやすくなる。
【００２７】
(10)上記切込が不連続となる部位に上記環状凸条と上記上面との間に掛け渡すように第３の突条が設けられているのが好ましい。
【００２８】
この第３の突条が設けられることにより、容器本体と把手との境界部分の剛性が向上する。したがって、釣人が把手を把持して当該釣餌容器を持ち上げた場合でも、容器本体の変形が抑えられて釣餌が容器本体から漏れることが防止される。
【００２９】
(11)上記容器本体の壁面は、上記収容空間に対して凹凸を形成する波形であるのが好ましい。
【００３０】
これにより、容器本体の剛性が向上し、より多量の釣餌が収容され得る。また、容器本体の変形が抑えられるので、持ち運びにも便利である。
【００３１】
(12)上記容器本体の底面の中央部は、上記収容空間側へ突出しているのが好ましい。
【００３２】
この構成では、容器本体の底部の剛性も向上する。これにより、容器本体の変形がなお一層抑えられるという利点がある。
【発明の効果】
【００３３】
この発明では、釣人は、上記フランジの一部が切り起こされることにより構成される一対の把手を把持することにより、容器本体を持ち運ぶことができる。つまり、釣人は容器本体に触れることなく釣餌が収容された容器を持ち運ぶことができる。したがって、釣餌によって釣人の手が汚れることが防止され、たとえば釣餌として塩アミが容器本体に収容されている場合であっても、釣人の手の汚れや臭いの付着が防止され得る。
【図面の簡単な説明】
【００３４】
【図１】図１は、本発明の一実施形態に係る釣餌容器１０の外観斜視図である。
【図２】図２は、本発明の一実施形態に係る釣餌容器１０の外観斜視図である。
【図３】図３は、釣餌容器１０の平面図である。
【図４】図４は、図３におけるIV−IV断面図である。
【図５】図５は、図３におけるV−V断面図である。
【図６】図６は、図２おけるVI−VI断面図である。
【発明を実施するための形態】
【００３５】
以下、本発明の好ましい実施形態が、適宜図面が参照されつつ説明される。なお、本実施の形態は、本発明の一実施態様にすぎず、本発明の要旨を変更しない範囲で実施態様が変更されてもよいことは言うまでもない。
【００３６】
図１及び図２は、本発明の一実施形態に係る釣餌容器１０の外観斜視図である。また、図３は、この釣餌容器１０の平面図である。
【００３７】
この釣餌容器１０は、主として釣餌としてのアミエビを収容し冷凍保存し得る容器である。もっとも、内容物としてオキアミ等も収容され得ることは言うまでもない。この釣餌容器１０は、同図が示すように容器本体１１と、これに設けられたフランジ１２とを有する。このフランジ１２は後述のように起立することが可能であり、フランジ１２の起立された部分は、一対の対向する把手１３、１４を構成する（図２参照）。
【００３８】
本実施形態に係る釣餌容器１０の主な特徴点は、容器本体１１及びフランジ１２が薄肉のポリエチレンシート（肉厚が０．３ｍｍ以上１．２ｍｍ以下に設定される。）により一体的に形成されている点、及びフランジ１２にスリット１５、１６が形成されており、これらスリット１５、１６を境にしてフランジ１２の一部が切り起こされることにより上記把手１３、１４が構成されるようになっている点である。以下、釣餌容器１０の構造について詳述される。
【００３９】
容器本体１１は、略直方体状を呈している。容器本体１１の上面１７に開口１８が設けられている。この開口１８は、上記上面１７のほぼ全体を占める。この開口１８に連続して容器本体１１の内部に収容空間１９が区画されている。この収容空間１９にアミエビその他の釣餌が収容されるようになっている。本実施形態では、容器本体１１は、上面１７から下方に向かって漸次先細りとなるようにテーパが形成されている。これにより、容器本体１１が上下方向に容易に重ね合わせられるという利点がある。もっとも、容器本体１１に上記テーパが形成されていなくても良いことは勿論である。
【００４０】
容器本体１１の壁面２０は、波形に形成されている。この壁面２０は、上記収容空間１９に対して進退するように凹凸を形成している。この凹凸の高さ寸法は、４ｍｍ〜６ｍｍに設定され得るが、本実施形態では５ｍｍに設定されている。当該寸法は適宜設計変更され得るのは勿論である。当該壁面２０が波形に形成されることによる作用効果は後述される。なお、当該壁面２０が波形に形成されていなくても良いことは勿論である。
【００４１】
図４は、図３におけるIV−IV断面図である。
【００４２】
容器本体１１の底面２１は内側に膨出しており、いわゆる上げ底となっている。すなわち、図３及び図４が示すように、容器本体１１の底面２１の中央部２２は、上記収容空間１９側へ突出している。具体的には、図３が示すように、上記底面２１の中央部２２に略矩形の領域が設けられ、この領域が略四角錐を形成するように上方に盛り上がっている。容器本体１１の底面２１が盛り上がっていることによる作用効果は後述される。なお、この底面２１が盛り上がっていなくても良いことは勿論である。
【００４３】
図１、図２及び図４が示すように、容器本体１１の上面１７に環状凸条２３が形成されている。この環状凸条２３は、上記上面１７を周回する堤を形成し、上記開口１８を囲繞している。この環状凸条２３は、容器本体１１と一体的に形成されており、上記上面１７が上方へ盛り上がることにより構成されている。本実施形態では、この環状凸条２３は、図４が示すように断面が台形状を呈しており、環状凸条２３の天面２４は平坦面となっている。
【００４４】
図１及び図３が示すように、フランジ１２は容器本体１１と一体的に形成されており、容器本体１１の上面１７の外縁部２５に連続して外方に張り出している。また、このフランジ１２と上記容器本体１１との境界に沿って上記スリット１５、１６が設けられている。スリット１５、１６は、図３が示すように上下対称に対をなしてフランジ１２に形成されている。すなわち、スリット１５は、フランジ１２のうち上側部分（図３参照）に設けられており、上記境界に沿って容器本体１１を周回するように切込みが設けられることにより形成されている。他方、スリット１６は、フランジ１２のうち下側部分（図３参照）に設けられており、上記スリット１５と同様に上記境界に沿って容器本体１１を周回するように切込みが設けられることにより形成されている。そして、上記各切込みは、図３が示すように、上記境界のうち二つの部位２６、２７（特許請求の範囲に記載された「不連続部位」に対応）において不連続となっている。つまり、当該部位２６、２７において上記切込みが途切れている。当該部位２６、２７は、容器本体１１の開口１８を挟んで対向する位置に配置されている。
【００４５】
上記スリット１５、１６が設けられることにより、上記フランジ１２の一部が対をなして起立することができる。図２は、フランジ１２の一部が起立した状態を示しており、当該フランジ１２の一部が、上記一対の把手１３、１４を構成している。同図が示すように、フランジの一部が切り起こされることにより、対向配置された一対の把手１３、１４が構成される。ユーザーは当該把手１３、１４を把持し、釣餌容器１０を簡単に持ち歩くことができる。本実施形態では、スリット１５、１６は、容器本体１１を約半周するように形成されてることから、把手１３、１４は、略Ｃ字状ないしＵ字状に形成される。
【００４６】
図１及び図３が示すように、把手１３（特許請求の範囲に記載された「他方の把手」に対応）の所定部（本実施形態では把手１３の一対の角部）に嵌合凹部２８が設けられている。この嵌合凹部２８は、上記フランジ１２と一体的に形成されている。この嵌合凹部２８は、細長円形の窪みを備えている。嵌合凹部２８は、挟持部２９を備えている。この挟持部２９は、上記嵌合凹部２８の中央部の内壁面が内側に膨出されることにより形成されている。
【００４７】
また、把手１４（特許請求の範囲に記載された「一方の把手」に対応）の所定部（本実施形態では把手１４の一対の角部）に嵌合凸部３０が設けられている。この嵌合凸部３０も上記フランジ１２と一体的に形成されている。嵌合凸部３０は、嵌合凹部２８に対応する位置に配置されており、把手１３、１４が起立したときは、嵌合凸部３０と嵌合凹部２８とが合致するようになっている。嵌合凸部３０は細長のキー状に形成されており、嵌合凸部３０の外形形状は、嵌合凹部２８の内壁面形状に対応している。
【００４８】
図６は、図２おけるVI−VI断面図である。
【００４９】
本実施形態では、嵌合凸部３０と嵌合凹部２８との間に所定のはめあいが設定されている。すなわち、図６が示すように、嵌合凸部３０の外形寸法ｄと、嵌合凹部２８の内形寸法Ｄとの間に所定の締まりばめ交差が設定されている。このため、図２が示すように一対の把手１３、１４が合致したときは、嵌合凸部３０が嵌合凹部２８に強く嵌め合わされた状態となり、一定の保持力が発揮されるようになっている。その結果、一対の把手１３、１４は嵌合状態が維持される。
【００５０】
図１、図３及び図４が示すように、把手１３、１４の中央部に突条３２、３３が設けられている。この突条３２、３３は、把手１３、１４の長手方向３１に沿って延びている。本実施形態では、把手１３、１４にそれぞれ一対の突条３２、３３が形成されている。ただし、単一の突条であっても良い。各突条３２、３３は同一の形状である。図４が示すように、各突条３２、３３の断面形状は半円形であり、同図の状態において各突条３２、３３は、下方へ膨出している。もっとも、各突条３２、３３の断面形状は他の形状であっても良い。これら突条３２、３３は、各把手１３、１４と一体的に形成されており、把手１３、１４の一部が膨出されることにより構成されている。そして、突条３３は、上記スリット１５、１６の近傍に設けられている。この突条３２、３３が設けられることによる作用効果については後述される。
【００５１】
上記フランジ１２の所定部、つまり把手１３、１４の所定の領域にローレット加工が施されている。具体的には、把手１３、１４のうち上記突状３２、３３が設けられた部位３４、３５にローレット加工が施されている。このローレット加工は、上記突条３２、３３を取り囲むように施されており、かかる加工が施されることによる作用効果は後述される。なお、このローレット加工は省略されても良い。
【００５２】
図１ないし図３が示すように、把手１３、１４に補強リブ３６、３７（特許請求の範囲に記載された「第２の突条」に対応）が設けられている。この補強リブ３６、３７は、各把手１３、１４の根本部分に設けられている。換言すれば、補強リブ３６、３７は、上記フランジ１２のうち上記スリット１５、１６を構成する切込みが不連続となる部位の近傍から、当該切込みに沿って（スリット１５、１６に沿って）形成されている。この補強リブ３６、３７も把手１３、１４と一体的に形成されている。補強リブ３６、３７の断面形状は特に限定されないが、典型的には上記突状３２、３３と同様に半円形に形成される。
【００５３】
図５は、図３におけるV−V断面図である。
【００５４】
上記フランジ１２と上記容器本体１１との境界部分にも補強リブ３８（特許請求の範囲に記載された「第３の突条」に対応）が設けられている。具体的には、補強リブ３８は、上記フランジ１２のうち上記スリット１５、１６を構成する切込みが不連続となる部位に設けられている。この補強リブ３８は、容器本体１１の上面１７と上記環状凸条２３との間に掛け渡すように延びている。本実施形態では、補強リブ３８は、上記環状凸条２３の側壁から上記フランジ１２に達するまで延びている。また、本実施形態では、補強リブ３８は、図３において左右対称に配置されており、右側及び左側にそれぞれ３本ずつ配置されている。ただし、この補強リブ３８は、単一であっても良い。補強リブ３８の断面形状は特に限定されないが、典型的には上記補強リブ３６、３７と同様に半円形に形成される。
【００５５】
さて、本実施形態に係る釣餌容器１０によれば、容器本体１１に水揚げされたアミエビが収容され、この容器本体１１の開口１８が封止されることにより、アミエビが密封される。容器本体１１の上面１７に樹脂シートが熱融着されることにより、上記開口１８が封止される。この状態で冷凍加工が施されることにより、水揚げされたアミエビが保存可能となり、いわゆる生アミとして商品化される。もっとも、容器本体１１に収容される釣餌は、生アミに変えていわゆる塩アミであっても良い。
【００５６】
しかも、前述のようにフランジ１２の一部が切り起こされることにより、一対の把手１３、１４が起立し、釣人は、この把手１３、１４を把持することができる。その結果、釣人は、釣餌容器１０を簡単に持ち運ぶことができる。つまり、釣人は容器本体１１に触れることなくアミエビが収容された釣餌容器１０を持ち運ぶことができる。したがって、アミエビによって釣人の手が汚れることが防止され、臭いの付着も防止される。
【００５７】
本実施形態では、容器本体１１及びフランジ１２は、前述のような薄肉のポリエチレンシートにより一体的に成形される。また、上記容器本体１１を周回するように設けられた切込みが２箇所で不連続となることにより上記一対のスリット１５、１６が形成されている。さらに、上記切込みの不連続部位は、容器本体１１の開口１８を挟んで対向している。これにより、上記スリット１５、１６の加工が容易であり、釣餌容器１０は、軽量で且つ低温に耐えるものとして安価に構成され得る。
【００５８】
また、本実施形態では、容器本体１１の上面１７に上記環状凸条２３が設けられているから、上記樹脂フィルムは、環状凸条２３の天面２４に簡単に溶着される。つまり、容器本体１１の開口１８を封止する作業が一層簡単になる。
【００５９】
さらに、本実施形態では、上記フランジ１２に嵌合凸部３０及び嵌合凹部２８が設けられている。このため、両者が嵌合した状態で一対の把手１３、１４が対向配置され、当該状態が一定の保持力で保持される。したがって、把手１３、１４の剛性が向上し、ユーザーにとって使用し易い把手１３、１４が構成される。特に、上記嵌合凹部２８に内側に膨出した挟持部２９が形成されているから、嵌合凸部３０と嵌合凹部２８とが確実に嵌め合わされ、一対の把手１３、１４が確実に固定されるという利点がある。
【００６０】
本実施形態では、把手１３、１４の長手方向３１に沿って突条３２、３３が設けられているから、一対の把手１３、１４の曲げ剛性が向上する。これにより、ユーザーにとって把手１３、１４がさらに把持しやすく使いやすいものとなる。しかも、この突条３２、３３は、上記フランジ１２と一体的に形成されているから、上記突条３２、３３がが簡単且つ安価に形成される。また、この突条３２、３３は、上記スリット１５、１６の近傍から膨出されているから、ユーザーが把手１３、１４を把持したときに、指に突条３２、３３がなじみやすく、違和感が少ないという利点がある。
【００６１】
この突条３２、３３の周りを取り囲むように上記ローレット加工が施されているから、釣人が把手１３、１４を把持した際に滑止効果が発揮される。したがって、釣人の手が濡れている場合であっても把手１３、１４が使いやすいという利点もある。
【００６２】
本実施形態では、把手１３、１４に上記補強リブ３６、３７が設けられているから、把手１３、１４の根本部分の剛性が向上する。これにより、把手１３、１４がさらに使いやすくなるという利点がある。
【００６３】
さらに、上記フランジ１２と上記容器本体１１との境界部分に補強リブ３８が設けられているから、容器本体１１と把手１３、１４との境界部分の剛性が向上する。したがって、釣人が把手１３、１４を把持して釣餌容器１０を持ち上げた場合でも、容器本体１１の変形が抑えられてアミエビが容器本体１１から漏れることが防止される。
【００６４】
前述のように、容器本体１１の壁面２０が波形に形成されているから、容器本体１１の剛性が向上し、より多量のアミエビが収容される。しかも、容器本体１１の変形が抑えられるので、釣餌容器１０の持ち運びがさらに便利になる。加えて、容器本体１１の底面２１の中央部２２が収容空間１９側へ突出しているので、容器本体１１の底部の剛性も向上する。これにより、容器本体１１の変形がなお一層抑えられる。
【符号の説明】
【００６５】
１０・・・釣餌容器
１１・・・容器本体
１２・・・フランジ
１３・・・把手
１４・・・把手
１５・・・スリット
１６・・・スリット  
１７・・・上面
１８・・・開口
１９・・・収容空間
２０・・・壁面
２１・・・底面
２２・・・中央部
２３・・・環状凸条
２４・・・天面
２５・・・外縁部
２６・・・部位
２７・・・部位
２８・・・嵌合凹部
２９・・・挟持部
３０・・・嵌合凸部
３１・・・長手方向
３２・・・突条
３３・・・突条
３４・・・部位
３５・・・部位
３６・・・補強リブ
３７・・・補強リブ
３８・・・補強リブ
【図１】
0005433739.tif 000002
【図２】
0005433739.tif 000003
【図３】
0005433739.tif 000004
【図４】
0005433739.tif 000005
【図５】
0005433739.tif 000006
【図６】
0005433739.tif 000007